(57)【要約】【課題】液晶層及び該液晶層に階調駆動電圧を印加する電極を有する液晶パネルと、現入力階調と前入力階調の組み合わせに応じて前記液晶パネルの応答速度を補償する書込階調を決定する駆動装置とを備えた液晶表示装置において、全ての階調遷移パターンに対して書込階調をメモリする場合に比べてメモリ容量を低減するとともに、演算精度の低下を防止する液晶表示装置を提供する。【解決手段】現入力階調の代表入力階調と前入力階調の代表入力階調との組み合わせに対する書込階調が記憶されたテーブルを複数設け、詳細に演算したい階調遷移範囲には専用のデータテーブルを割り当てる。【選択図】　図１
2004109331.tif 000002
【特許請求の範囲】
【請求項１】
液晶層及び該液晶層に階調駆動電圧を印加する電極を有する液晶パネルと、現入力階調と前入力階調の組み合わせに応じて前記液晶パネルの応答速度を補償する書込階調を決定する駆動装置とを備えた液晶表示装置において、
前記駆動装置は、第１の階調遷移範囲における現入力階調の代表入力階調と前入力階調の代表入力階調との組み合わせに対する書込階調が記憶された第１のテーブルと、
第２の階調遷移範囲における現入力階調の代表入力階調と前入力階調の代表入力階調との組み合わせに対する書込階調が記憶された第２のテーブルと、
現入力階調と前入力階調から前記第１のテーブルと前記第２のテーブルのいずれのテーブルを用いるかを判定するテーブル判定手段と、
第１のテーブル又は第２のテーブルに記憶された書込階調に基づいて、現入力階調と前入力階調の組み合わせに対する書込階調を演算する演算手段と、
を備えたことを特徴とする液晶表示装置。
【請求項２】
第１のテーブルに対する演算手段と、第２のテーブルに対する演算手段とは同一の演算手段により演算することを特徴とする請求項１記載の液晶表示装置。
【請求項３】
前記第１のテーブルの代表入力階調は、第１の階調遷移範囲をｍ等分（ｍは２以上の自然数）する入力階調であり、前記第２のテーブルの代表入力階調は、第２の階調遷移範囲をｍ等分する入力階調に対する入力階調であることを特徴とする請求項１又は請求項２記載の液晶表示装置。
【請求項４】
第２の階調遷移範囲は、第１の階調遷移範囲の１／２ｎ（ｎは自然数）の階調範囲に対するものであることを特徴とする請求項１から請求項３のいずれか一項に記載の液晶表示装置。
【請求項５】
前記液晶パネルはノーマリーブラックであり、前記第１の階調遷移範囲及び前記第２の階調遷移範囲の最低階調は同一の階調であることを特徴とする請求項４記載の液晶表示装置。
【発明の詳細な説明】
【０００１】
【発明の属する技術分野】
本発明は、液晶パネルを用いて画像を表示する液晶表示装置に関し、特に前記液晶パネルの応答速度を改善する液晶表示装置に関するものである。
【０００２】
【従来の技術】
近来、パーソナルコンピュータやテレビ受信機などの軽量化、薄形化によってディスプレイ装置も軽量化、薄形化が要求されており、このような要求に従って陰極線管（ＣＲＴ）の代わりに液晶表示装置（ＬＣＤ）のようなフラットパネル型ディスプレイが開発されている。
【０００３】
ＬＣＤは二つの基板の間に注入されている誘電率異方性を有する液晶層に電極を介して電界を印加し、この電界の強さを調節して基板を透過する光の量を調節することによって所望の画像信号を得る表示装置である。このようなＬＣＤは携帯の簡便なフラットパネル型ディスプレイのうちの代表的なものであり、この中でも薄膜トランジスタ（ＴＦＴ）をスイッチング素子として用いたＴＦＴ・ＬＣＤが主に用いられている。
【０００４】
最近は、ＴＦＴ・ＬＣＤがコンピュータのディスプレイ装置だけでなくテレビ受信機のディスプレイ装置として広く用いられるため、動画像を表示する必要が増加してきた。しかしながら、従来のＴＦＴ・ＬＣＤは応答速度が遅いために動画像を１垂直期間（例えば、ＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）信号の場合は６０Ｈｚ（約１６．６ｍｓｅｃ）、ＰＡＬ（Ｐｈａｓｅ　Ａｌｔｅｒａｔｉｏｎ　ｂｙ　Ｌｉｎｅ）信号の場合は５０Ｈｚ（２０ｍｓｅｃ））内に表示するのは難しいという短所があった。
【０００５】
このような液晶の応答速度の問題を改善するために、入力画像信号に基づく入力階調（以下、現入力階調と称する）と１垂直期間前の入力階調（以下、前入力階調と称する）の組み合わせに応じて、予め定められた現入力階調より高い（オーバーシュートされた）駆動電圧或いはより低い（アンダーシュートされた）駆動電圧を液晶パネルに供給する液晶駆動方法が知られている。以下、本明細書においては、この駆動方式をオーバーシュート駆動と定義する。
【０００６】
このようなオーバーシュート駆動を用いた先行文献として特許文献１があり、当該文献には、参照テーブルメモリ内に書込階調データテーブルを記憶させ、現入力階調と前入力階調の組み合わせに応じて参照テーブルメモリの書込階調データテーブルを参照して書込階調を決定し、液晶パネルの応答速度の高速化を図る技術が開示されている。
【０００７】
図７は、上記公報に記載された液晶表示装置の駆動装置を示す機能ブロック図であり、図８は従来の液晶表示装置の駆動装置が備える参照テーブルメモリ内に記憶される書込階調データテーブルを示す説明図である。
【０００８】
図７において、従来の液晶表示装置は、液晶パネル１０、参照テーブルメモリ１１、フレームメモリ１２、制御回路１３、データ入力端子１４、同期信号入力端子１５、参照テーブルメモリ１１のデータバス１６、参照テーブルメモリ１１のアドレスバス１７を備えている。
【０００９】
この液晶表示装置においては、液晶パネル１０の表示データ数が８ビットの２５６階調である場合を想定している。データ入力端子１４から入力される画像データは、参照テーブルメモリ１１のアドレス内の８ビットに入力されるとともに、フレームメモリ１２にも入力される。フレームメモリ１２からは１垂直期間分遅延した１垂直期間前の画像データが出力され、遅延させた画像データは参照テーブルメモリ１１のアドレスの残り８ビットに入力される。
【００１０】
また、参照テーブルメモリ１１には、すべての入力階調の変化（以下、階調遷移と称する）の組み合わせにおいて、入力階調が変化した場合に液晶パネル１０の応答速度を高速化するための書込階調データ（実測値）がテーブルとして予め書き込まれている。
【００１１】
この書込階調データは、図８に示すように液晶パネルの画素が２５６階調で表現できる場合には２５６×２５６のマトリクス状に表記されており、現入力階調と前入力階調の組み合わせにより、液晶パネル１０へ書き込む書込階調が求められるようになっている。
【００１２】
このように信号補正を行なう書込階調データを書き込んだ参照テーブルメモリを準備することにより、現入力階調と前入力階調の組み合わせから常時決定される所望の表示信号レベル（書込階調）を液晶パネル１０に印加することができ、どのような階調遷移に対しても、液晶パネル１０の応答速度を高速化し、良好な状態の動画表示を得ることができる。
【００１３】
【特許文献１】
特開２００２‐６２８５０号公報
【００１４】
【発明が解決しようとする課題】
ところで、図８の参照テーブルのように、１垂直期間前後における２５６×２５６の全ての階調遷移パターンについて書込階調データを格納した場合、メモリ容量が大きくなってしまうため、データ容量を削減する手法が必要となる。この手法の一例を挙げると図９に示すように、１垂直期間前後における２５６階調を３２階調毎に均等間隔で抽出した９つの代表的な入力階調（以下、この代表的な入力階調を代表入力階調と称する）に対する９×９の階調遷移パターンに対してのみに対応する書込階調データを格納したテーブルを用意し、代表入力階調以外の入力階調による階調遷移パターンに対応する書込階調については、上記代表入力階調の階調遷移パターンにおける書込階調を用いて線形補完演算することにより求める手法が考えられる。
【００１５】
このように、代表入力階調についてのみ書込階調（実測値）を参照テーブルメモリに持たせた場合、２５６×２５６の全ての階調遷移パターンに対する書込階調（実測値）を格納した参照テーブルメモリに比べて、メモリ容量を低減することが可能であるという長所がある反面、各代表入力階調以外の入力階調についての書込階調は線形補完演算により求めるため誤差が生じ、書込階調の精度が低落してしまうという課題がある。
【００１６】
一般に液晶表示装置は、特定の階調遷移において応答特性が遅いという特質をもつ。具体例を挙げて言うとノーマリーブラック液晶表示装置の場合には、図１０に示すように、黒（０階調）から中間階調（例えば１２８階調）に階調遷移する場合に非常に応答速度が遅い。
【００１７】
従って、上記した各代表入力階調間の入力階調についての書込階調を線形補完演算により求めるものにおいては、高い精度が求められるべき応答速度の遅い特定の階調遷移に対する演算精度が低下してしまい、十分な応答速度が得られないという課題がある。
【００１８】
本発明は、これらの課題に鑑み、全ての階調遷移パターンに対して書込階調をメモリする場合に比べてメモリ容量を低減するとともに、演算精度の低下を防止する液晶表示装置を提供することを目的としている。
【００１９】
【課題を解決するための手段】
そこで、本発明によると、液晶層及び該液晶層に階調駆動電圧を印加する電極を有する液晶パネルと、現入力階調と前入力階調の組み合わせに応じて前記液晶パネルの応答速度を補償する書込階調を決定する駆動装置とを備えた液晶表示装置において、前記駆動装置は、第１の階調遷移範囲における現入力階調の代表入力階調と前入力階調の代表入力階調との組み合わせに対する書込階調が記憶された第１のテーブルと、第２の階調遷移範囲における現入力階調の代表入力階調と前入力階調の代表入力階調との組み合わせに対する書込階調が記憶された第２のテーブルと、現入力階調と前入力階調から前記１のテーブルと前記第２のテーブルのいずれのテーブルを用いるかを判定するテーブル判定手段と、第１のテーブル１又は第２のテーブルに記憶された書込階調に基づいて、現入力階調と前入力階調の組み合わせに対する書込階調を演算する演算手段と、を備えたことを特徴とする液晶表示装置を解決手段とする。
【００２０】
なお、上記の解決手段に云う演算手段は、第１のテーブルと第２のテーブルの書込階調に基づく演算を単一の演算手段により演算する場合と、別個の演算手段を設けて演算する場合の双方を含むものとする。
【００２１】
この構成によれば、局所的な階調遷移範囲に対し補完演算した際の書込階調の精度を向上したい場合には、局所的な階調遷移範囲に応じてテーブルを割り付け他の階調遷移範囲より細かく代表書込階調を設定することにより、補完演算した際の演算精度の向上が図れるとともに、全ての階調遷移パターンに対して書込階調をメモリする場合と比較してメモリ容量を低減することができる。
【００２２】
つまり、一般に液晶表示装置は特定の階調遷移範囲において応答速度が特に遅いという特性を備えていることは上述の通りであり、テーブルの一つを上記特性に合わせて配置することにより、補完演算した際の演算精度の向上が図れるとともに、全ての階調遷移パターンに対して書込階調をメモリする場合と比較してメモリ容量を低減することができる。
【００２３】
また、このとき、第１のテーブルに対する演算と、第２のテーブルに対する演算とを同一の演算手段により演算するものとすれば、複数の演算手段を設けずともよく、部品点数の低減を図ることができる。
【００２４】
そして、各階調遷移範囲に対して各テーブルが記憶している代表入力階調に基づいて、代表入力階調同士の組み合わせ以外の階調遷移を演算手段により求める場合には、演算手段に備えられるアルゴリズムをなるべく簡略化することが望ましい。
【００２５】
すなわち、精度の良い書込階調を液晶パネルに与えるためには、代表入力階調の数を多くし（すなわち、階調遷移範囲に対する分割数を多くし）、非線形補完等の複雑な演算を用い正確な演算を行なうようにすれば演算精度の向上が図られるのであるが、メモリ容量と処理速度の観点からすれば、なるべく分割数を少なくするとともに、線形補完等の簡単なアルゴリズムを用いて演算する必要がある。
【００２６】
一方、液晶表示装置の階調遷移に対する応答速度は上述のとおり特定の階調遷移範囲に対して応答速度が遅いという特性があるため、液晶表示装置の全階調遷移範囲を等分して代表入力階調を与えると、詳細に設定すべき応答速度が遅い階調遷移範囲に対して割り当てられる代表入力階調の数が少なくなり、書込階調の演算精度を補償しきれない。
【００２７】
そこで、階調遷移範囲の分割数を少なくし、かつ線形処理を用いて演算しつつも精度を担保する手段として、階調遷移範囲を等分せずに、特に応答速度が遅い階調遷移に対する分割数を多くし（つまり隣り合う代表入力階調の間隔を狭くし）、応答速度が速い範囲については階調遷移に対する分割数を少なくする（つまり隣り合う代表入力階調の間隔を広くする）よう不均等に分割する方法が考え得る。
【００２８】
すなわち、例えば階調遷移範囲を２５６階調を８分割する場合を考えると、０階調、３２階調、６４階調、９６階調・・・２５５階調のように３２階調毎に等分する階調を代表入力階調とせず、０階調、１６階調、２４階調、３２階調、４８階調、６４階調、１２８階調、１９２階調、２５５階調といったように不均等な階調間隔になるように代表階調を割り当て８分割する方法である。
【００２９】
しかしながら、このように不均等に階調遷移範囲を分割した場合には、各代表入力階調の間隔が複数存在することになり、各間隔に対して線形補完を行なうためのアルゴリズムを複数備えて補完演算を行なう必要が生じることになる。従って、複数のアルゴリズムを記憶する装置や、使用するアルゴリズムを切り替える装置等が新たに必要になり、回路構成が複雑化するという問題が生じる。
【００３０】
そこで、本発明は、上記した液晶表示装置のいずれかにおいて、前記第１のテーブルの代表入力階調は、第１の階調遷移範囲をｍ等分（ｍは２以上の自然数）する入力階調であり、前記第２のテーブルの代表入力階調は、第２の階調遷移範囲をｍ等分する入力階調に対する入力階調であることを特徴とする液晶表示装置とする。
【００３１】
この構成によると、第１のテーブル或いは第２のテーブルのいずれかを、特に応答速度が遅い階調遷移範囲に対して割り当てることにより、その範囲に対して精度の良い書込階調の演算が可能となるとともに、各テーブルに与えられる代表入力階調は階調遷移範囲に対して等間隔に同数設定されているため、代表入力階調の間隔を変更する処理を行うのみで単一のアルゴリズムを用いて演算することが可能となる。従って、複数のアルゴリズムを記憶する装置や、使用するアルゴリズムを切り替える装置を新たに配置することなく、非常に簡便な回路構成で書込階調演算の高精度化を図ることが可能である。
【００３２】
また、上記した液晶表示装置は、現入力階調と前入力階調から前記第１のテーブルと前記第２のテーブルのいずれのテーブルを用いるかを判定するテーブル判定手段により、いずれのテーブルを用いるかを判定する必要があるが、この判定もなるべく簡便にすることが望ましい。
【００３３】
そこで、本発明は、第２の階調遷移範囲は、第１の階調遷移範囲の１／２ｎ（ｎは自然数）の階調範囲に対するものとする。このように構成すると、第１の階調遷移範囲と第２の階調遷移範囲を判定する際に、入力階調の上位ｂｉｔを参照すれば判定できるように構成しやすく、処理速度の向上を図ることができる。
【００３４】
また、液晶パネルがノーマリーブラックの場合に処理速度の向上を図るためには、第２の階調遷移範囲が、第１の階調遷移範囲の１／２ｎ（ｎは自然数）の階調範囲に対するものであることを前提に、前記第１の階調遷移範囲及び前記第２の階調遷移範囲の最低階調を同一の階調であるようにすれば、テーブル切替判定手段が最低階調側を参照する必要がないため、さらに処理速度を高速化できる。また、ノーマリーブラックの液晶パネルの特性により、応答速度を高速化する効果を減殺することもない。
【００３５】
【発明の実施の形態】
以下に本発明の実施の形態について図１〜図６を参照して説明する。なお、以下の説明においては、外部から送られてくる映像信号に基づく入力階調は８ｂｉｔで与えられ、液晶パネルはノーマリーブラックであり各画素ごとに２５６階調を表示することができるものを例として説明する。
【００３６】
図１は、本発明の液晶表示装置が備える駆動装置の第１の実施形態を示す構成図である。駆動装置１は、外部から送られてきた新たな映像信号（Ｎｅｗ　Ｄａｔａ）に基づく現入力階調を１垂直期間遅延させるために記憶しておくフレームメモリ２（図１中ではＦＭと表記している。）と、現入力階調及び前入力階調（Ｏｌｄ　Ｄａｔａ）を上位４ｂｉｔと下位４ｂｉｔに分割する前処理部３と、前処理部３から新たな映像信号の上位４ｂｉｔと１垂直期間前の映像信号の上位４ｂｉｔを受け取り後述する参照テーブルメモリ５内に備えられる複数のテーブルのいずれを用いるかを判定し判定結果を信号化するテーブル切替判定部４と、内部に複数のテーブルを記憶しておりテーブル切替判定部４から送られてきた入力階調及び前入力階調にもとづいてテーブルを参照し、テーブル内に記憶されている代表入力階調における書込階調を後述する書込階調演算部に供給する参照テーブルメモリ５と、前処理部３から受け取った新たな映像信号の下位４ｂｉｔ及び１垂直期間前の映像信号の下位４ｂｉｔと参照テーブルメモリ５から受け取った代表入力階調における書込階調から液晶パネルに書き込むための書込階調を演算するための書込階調演算部６と、書込階調演算部６から受け取った書込階調を液晶パネル８に出力するデータ出力部７とを備えている。
【００３７】
各構成を詳述すると、フレームメモリ２は液晶パネルが備える各画素ごとの入力階調を記憶できるだけの容量を備えるものであり、ある画素に対して新たな映像信号が送られてくると、その画素に対応する前入力階調を前処理部３に送信した後、新しく送られてきた映像信号に基づく入力階調を記憶するようになっている。
【００３８】
そして、前処理部３は、新たな映像信号に基づく８ｂｉｔの入力階調及びフレームメモリ２から送られてくる１垂直期間前の８ｂｉｔの入力階調の双方を、上位４ｂｉｔと下位４ｂｉｔに分割する機能を備えており、双方の上位４ｂｉｔをテーブル切替判定部４へ送信し下位４ｂｉｔを書込階調演算部６へ送信する。
【００３９】
ここで、入力階調を与えるために用いられる８ｂｉｔの信号の構成について説明すると、入力階調信号は図２に示すように構成されており、最上位ｂｉｔであるＡ１が１２８階調、最上位から第２番目のｂｉｔであるＢ２が６４階調、以下、第３番目のｂｉｔであるＣ３が３２階調、第４番目のｂｉｔであるＤ４が１６階調、第５番目のｂｉｔであるＥ５が８階調、第６番目のｂｉｔであるＦ６が４階調、第７番目のｂｉｔであるＧ７が２階調、第８番目のｂｉｔであるＨ８が１階調を表す信号として規定されている。従って、例えば１３２階調は（１００００１００）の信号、７３階調は（０１００１００１）の信号が入力階調信号となる。
【００４０】
そして、テーブル切替判定部４は、新たな映像信号に基づく入力階調の上位４ｂｉｔと前入力階調の上位４ｂｉｔの双方が所定値以上の入力階調であるか否かを判断し、双方が所定値以上であればフラグ０を入力階調又は前入力階調の最上位ｂｉｔに追加する機能を備えている。
【００４１】
さらに、参照テーブルメモリ５には、ルックアップテーブルが二つ設けられており、その一方であるテーブルα（第１のテーブル）は液晶パネルに印加可能な階調の全範囲（すなわち０階調〜２５５階調）を遷移階調範囲とするもので、それを２以上の自然数ｍで等分した階調を代表入力階調とし、代表入力階調の現入力階調と前入力階調の各組み合わせに対応する書込階調を記憶している。また、他方のテーブルβ（第２のテーブル）はテーブルαの最高階調の１／２の階調が上限階調であり最低階調は同一である階調遷移範囲（すなわち、０階調〜１２８階調）を２以上の自然数ｍで等分した階調を代表入力階調として備え、代表入力階調の現入力階調と前入力階調の各組み合わせに対応する書込階調を記憶している。
【００４２】
説明のため自然数ｍが８の場合を例にすると、テーブルαは図３に示すように、０〜２５５階調を８等分した３２階調毎の階調、すなわち０階調、３２階調、６４階調、９６階調、１２８階調、１６０階調、１９２階調、２２４階調、２５５階調を代表入力階調としており、代表入力階調の現入力階調（図３において横軸）と前入力階調（図３において縦軸）の組み合わせに対応する液晶パネル８への書込階調を記憶している。
【００４３】
この書込階調は、前入力階調が０階調で現入力階調が１２８階調の場合には２４２階調であるといったように、前入力階調に比べて現入力階調が高い場合には、現入力階調よりも高い階調が設定され、前入力階調が１２８階調で現入力階調が３２階調の場合には０階調であるといったように、前入力階調に比べて現入力階調が低い場合には、現入力階調よりも低い階調が設定される。以下、このような設定を強調パラメータ設定と称する。
【００４４】
また、テーブルβは図４に示すように、０〜１２８階調を８等分した３２階調毎の階調、すなわち０階調、１６階調、３２階調、４８階調、６４階調、８０階調、９６階調、１１２階調、１２８階調を代表入力階調としており、代表入力階調の現入力階調（図４において横軸）と前入力階調（図４において縦横軸）の組み合わせに対応する液晶パネル８への書込階調を記憶している。
【００４５】
この書込階調についても、テーブルαの書込階調と同様に強調パラメータ設定された書込階調とされる。
【００４６】
そして、参照テーブルメモリ５は、入力階調及び前入力階調が所定値以上か否かのフラグが０の場合はテーブルαを選択し、フラグが１の場合はテーブルβを選択する。さらに、各テーブルのいずれの代表入力階調の組み合わせを参照するかを決定し、決定された代表入力階調の組み合わせに対応して記憶されている書込階調を書込階調演算部６に出力する。
【００４７】
また、書込階調演算部６では、テーブル切替判定部４が立てたフラグを参照して、テーブルαを用いた演算を行なうのかテーブルβを用いた演算を行なうのかを判断し、使用するテーブルに併せて演算式中の代表入力階調の間隔を変更する。そして、参照テーブルメモリ５から送られてくる代表入力階調における書込階調と、前処理部３から送られてきた入力階調の下位４ｂｉｔと、前入力階調の下位４ｂｉｔとを参照して、液晶パネル８に与えるべき書込階調を線形補完にて演算する。
【００４８】
そして、データ出力部７は送られてきた書込階調を液晶パネル８に送る機能を有しており、液晶パネル８はデータ出力部７から送られてきた書込階調を印加電圧に変換し液晶を遷移させる。
【００４９】
次に、以上に記載した駆動装置の処理手順を図５に示すフローチャートに沿って説明する。所定の画素に対する現入力階調Ｂが入力画像信号として送られてくると、フレームメモリ２に記憶されている同じ画素の前入力階調Ａが現入力階調Ｂに同期して前処理部３に入力される（ＳＴＥＰ１）。
【００５０】
前処理部３では、テーブル切替判定部４と参照テーブルメモリ５が必要とする前入力階調Ａ及び現入力階調Ｂの上位４ｂｉｔのデータと、テーブル切替判定部４と参照テーブルメモリ５が必要としない前入力階調Ａ及び現入力階調Ｂの下位４ｂｉｔのデータを切り分け、上位４ｂｉｔのデータをテーブル切替判定部４に、下位４ｂｉｔのデータを書込階調演算部６に送出する（ＳＴＥＰ２）。
【００５１】
テーブル切替判定部４は、送られてきた前入力階調Ａ及び現入力階調Ｂの上位４ｂｉｔを参照し、前入力階調Ａと現入力階調Ｂが双方とも１２８階調以上であればテーブルαを使用すべくフラグ０を現入力階調Ｂの最上位ｂｉｔに追加し、前入力階調Ａと現入力階調Ｂが１２８階調未満であればテーブルβを使用すべく判定し（ＳＴＥＰ３）、フラグ１を前入力階調Ａ又は現入力階調Ｂの最上位ｂｉｔとして追加し（ＳＴＥＰ４）参照テーブルメモリ５に送出する。
【００５２】
参照テーブルメモリ５では、現入力階調又は前入力階調の最上位ｂｉｔとして追加されたフラグを参照して、参照するテーブルを選択する（ＳＴＥＰ５）。
【００５３】
そして、テーブルα及びテーブルβでは、前入力階調Ａ及び現入力階調Ｂの上位４ｂｉｔのデータをもとに、前入力階調Ａに対して高低双方の直近の代表入力階調と、現入力階調Ｂの直近の高低双方の代表入力階調との組み合わせに記憶されている書込階調を抽出する（ＳＴＥＰ６）。
【００５４】
書込階調演算部６はテーブル切替判定部４で付加された判定結果に基づいて、受け入れる代表入力階調を変更する。本例の場合は、代表入力階調の間隔を１／２の階調に対して割り当てるよう処理を行なう（ＳＴＥＰ７）。
【００５５】
そして、書込階調演算部６は、参照テーブルメモリ５により抽出された書込階調と、前入力階調Ａ及び現入力階調Ｂの下位４ｂｉｔとを参照して書込階調を線形補完演算にて演算する（ＳＴＥＰ８）。
【００５６】
そして、演算結果はデータ出力部７を介して液晶パネル８に出力される（ＳＴＥＰ９）。
【００５７】
以上のようにして、テーブルαを用いて全階調遷移範囲に対して、オーバーシュート駆動を行うための書込階調を液晶パネルに与えるとともに、特に応答速度が遅い階調遷移範囲に対しては、テーブルαより狭い範囲の代表入力階調を有するテーブルβを用いて演算するため、より正確な書込階調を演算できる。従って、液晶パネルの応答速度が正確に高速化され、動画の表示がより高品位なものとなる。
【００５８】
上記した、本発明の第１の実施形態はあくまで一例にすぎず、種々の変形が考えられる。例えば、第１の実施形態ではテーブルαとテーブルβの演算手段を共通化したものについて説明したが、各テーブル毎の演算手段を設けても、精度の良い演算ができる液晶表示装置とすることができる。また、参照テーブルメモリ５におけるテーブルの割り付け方々は多様であり、その変形例については第２の実施形態〜第５の実施形態として以下に説明する。
【００５９】
図６は、参照テーブルメモリ５のテーブルの割り付け方のバリエーションを示す図である。図６において（ａ）は本発明の第２の実施形態にかかるテーブルの割り付け方を示す概念図である。
【００６０】
図６（ａ）はテーブルαは上記したものと同様であるが、テーブルβの最高階調の１／４の階調が上限階調であり最低階調は同一である階調遷移範囲（すなわち、０階調〜６４階調）とした点が第１の実施形態と異なる点である。
【００６１】
この第２の実施形態は、液晶パネルの特性が、前入力階調が０〜６４階調であって、現入力階調が０〜６４階調のときに特に応答速度が遅い特性である場合に有用である。
【００６２】
このように、テーブルβが割り当てられる階調遷移範囲は液晶パネルの特性に合わせて適宜変更すればよいのであるが、テーブルαに設定する階調遷移範囲に対して１／２ｎ（ｎは自然数）の階調遷移範囲として割り当てるのが良い。
【００６３】
その理由は、第１の実施形態でも記載したように、入力階調はデジタル信号で与えられるため、テーブルβに割り当てられる階調遷移範囲をテーブルαに設定する階調遷移範囲に対して１／２ｎ（ｎは自然数）の階調遷移範囲として割り当てることにより、上位ｂｉｔのみを参照することによりテーブル切替判定部４による判定ができ、判定が容易となるためである。特にｎ＝１のときは、最上位ｂｉｔを参照するだけでテーブル切替の判定が可能に構成し得るため、前入力階調及び現入力階調の最上位ｂｉｔを参照してテーブル切替を行うように構成でき、判定が容易である。
【００６４】
次に、図６（ｂ）は本発明の第３の実施形態にかかるテーブルの割り付け方を示す概念図である。第３の実施形態は、テーブルαは第１の実施形態と同様であるが、テーブルβの最低階調がテーブルαと同一ではなく、例えば３２階調といった所定の階調値であり、最高階調は最低階調が高階調側にシフトした分、同様に高階調側にシフトしている点が第１の実施形態と異なる。
【００６５】
この第３の実施形態は、液晶パネルの特性が、例えば前入力階調が３２〜１６０階調であって、現入力階調が３２〜１６０階調の場合といったように、中間階調から中間階調に遷移する際に特に応答速度が遅い液晶パネルである場合に有用である。
【００６６】
次に、図６（ｃ）は本発明の第４の実施形態にかかるテーブルの割り付け方を示す概念図である。第４の実施形態は、テーブルαがテーブルβの階調遷移範囲を含んでおらず、全く異なる階調遷移範囲を対象としている点が異なる。液晶パネルの応答速度は、液晶材料、配向パターン等によって特性が異なるため、複数の階調遷移範囲で所望の応答速度が得られない場合も想定しうる。
【００６７】
そのような場合には、テーブルαとテーブルβ等の複数のテーブルを所望の応答速度が得られない階調遷移範囲にそれぞれ割り当てることにより、書込階調の演算精度を向上させ正確なオーバーシュート駆動を実現しうる。
【００６８】
次に、図６（ｄ）は本発明の第５の実施形態にかかるテーブルの割り付け方を示す概念図である。第４の実施形態は、テーブルαについては第１の実施形態と同様であるが、テーブルβに加えて、テーブルγを備えている点である。液晶パネルの応答速度は、液晶材料、配向パターン等によって特性が異なるため、テーブルβ一つでは詳細な書込階調の演算ができない場合があるが、さらにテーブルγを配置することにより詳細に書込階調を演算しうる。
【００６９】
このようにテーブルの数は２つに限られず、複数設けるようにすれば演算精度の向上を図ることができる。なお、テーブルγの構成は、割り付ける対象となる遷移階調範囲が異なるのみで、テーブルβと同様の構成とすればよい。ただし、テーブル数を増やすと、テーブルの容量が増える点及びテーブル切替判定部４による切替動作が煩雑になる点が課題となりうる。
【００７０】
【発明の効果】
以上のとおり、本発明によれば、階調遷移範囲に対して複数のテーブルを設定することにより、全ての階調遷移パターンに対して書込階調をメモリする場合と比較してメモリ容量を低減しつつ、補完演算した際の演算精度の向上を図ることができる。
【００７１】
また、第１のテーブルの代表入力階調は、第１の階調遷移範囲をｍ等分（ｍは２以上の自然数）する入力階調であり、前記第２のテーブルの代表入力階調は、第２の階調遷移範囲をｍ等分する入力階調に対する入力階調であるようにすれば、代表入力階調の間隔を変更する処理を行うのみで単一のアルゴリズムを用いて演算することが可能となるため、複数のアルゴリズムを記憶する装置や、使用するアルゴリズムを切り替える装置を新たに配置することなく、非常に簡便な回路構成で書込階調演算の高精度化を図ることが可能である。
【図面の簡単な説明】
【図１】本発明の第１の実施形態を示す機能ブロック図である。
【図２】本発明の第１の実施形態に用いられる入力階調信号の各ｂｉｔの構成を示す説明図である。
【図３】本発明の第１の実施形態におけるテーブルαに用いられるデータテーブルを示す説明図である。
【図４】本発明の第１の実施形態におけるテーブルβに用いられるデータテーブルを示す説明図である。
【図５】本発明の第１の実施形態を示すフローチャートである
【図６】本発明の第２の実施形態〜第５の実施形態を示す概略説明図である。
【図７】従来の液晶表示装置の駆動装置を示す機能ブロック図である。
【図８】従来の液晶表示装置の参照テーブルメモリ内に備えられるデータテーブルを示す説明図である。
【図９】液晶表示装置を高速化する他の手法を示す説明図である。
【図１０】ノーマリーブラックの液晶パネルの階調遷移に対する応答速度の一例を示す説明図である。
【符号の説明】
１　駆動回路
２　フレームメモリ
３　前処理部
４　テーブル切替判定部
５　参照テーブルメモリ
６　書込階調演算部
７　データ出力部
８　液晶パネル
【図１】
2004109331.tif 000003
【図２】
2004109331.tif 000004
【図３】
2004109331.tif 000005
【図４】
2004109331.tif 000006
【図５】
2004109331.tif 000007
【図６】
2004109331.tif 000008
【図７】
2004109331.tif 000009
【図８】
2004109331.tif 000010
【図９】
2004109331.tif 000011
【図１０】
2004109331.tif 000012